(57)【特許請求の範囲】
【請求項１】
遊技盤裏面に取り付けられた基台の外面にその外面の面方向にスライドされて係脱可能とされた部品を前記基台に係合した状態に固定する部品固定具であって、
前記基台にネジにより着脱可能且つ片持ち状に取り付けられ弾性変形可能とされた本体と、
前記本体の開放端側に設けられ前記基台に係合した前記部品に係止して部品の離脱方向へのスライドを阻止する係止部と、
前記係止部とは個別に設けられ押圧操作により前記本体を弾性変形させて係止部の前記部品への係止状態を解除する操作部と、
を有し、
前記係止部は、前記本体から前記部品側へ突出されて部品の前記離脱方向の側面に係止するとともにその係止状態が外部から視認可能とされた突起部とされていることを特徴とする部品固定具。
【請求項２】
前記操作部は、前記本体の開放端に一体的に設けられ前記係止部の係止位置よりも外側に突出された平板形状とされていることを特徴とする請求項１記載の部品固定具。
【請求項３】
請求項１又は請求項２記載の部品固定具が有色樹脂材料により形成されていることを特徴とする部品固定具。
【請求項４】
遊技盤の裏面に取り付けられた基台と、前記基台の外面にその外面の面方向にスライドされて係脱可能とされた部品と、前記基台に取り付けられた請求項１〜請求項３の何れか１項記載の部品固定具と、を備えた遊技機。
【発明の詳細な説明】
【０００１】
【発明の属する技術分野】
本発明は部品固定具、及びその部品固定具を備えた遊技機に係り、詳しくは、遊技盤裏面の基台に係脱可能とされた部品を係合状態にロックして固定する部品固定具、及びその部品固定具を備えた遊技機に関する。
【０００２】
【従来の技術】
パチンコ機等の遊技機では、遊技盤の裏面に、各種電気部品等を制御する複数の基板が配設されており、図１２に、従来の遊技盤裏面における基板レイアウトが示されている。遊技盤２００は、裏面の中央に略方形のセット板２０２が設けられ、セット板２０２の下部側に、部品取付基台としての回路アダプター２０４を介して主基板２０６が取り付けられている。またセット板２０２の略中央に図柄制御基板２０８が配置され、左側部にランプ制御基板２１０が取り付けられており、さらに遊技盤２００裏面の右上隅に、盤用外部端子板２１２が取り付けられている。
【０００３】
図１３には、上記の回路アダプター・ユニットを分解した状態が示されている。図示のように、回路アダプター２０４は、主基板２０６の取付面となる外面２０４Ａに、主基板２０６の裏面に設けられた開口部が係合するフック２１４、２１５が計３個設けられている。さらに外面２０４Ａには、それらフック２１４、２１５に係合した主基板２０６をロックし固定するためのレバー２１６が右下隅に設けられ、左側端部にストッパー２１８がネジ２２０で取り付けられている。また内面２０４Ｂには、パチンコ機本体側に設けられた電源ブロックからの供給電源を各基板に振り分ける電源中継基板２２２が四隅をネジ２２４によって取り付けられている。そしてこの回路アダプター２０４は、脚部２２６が図示しないネジで遊技盤２００の裏面に取り付けられるようになっており、その取付状態で内側に形成された空間に、集合樋２２８を収容するようになっている。
【０００４】
集合樋２２８は、遊技盤面の各入賞口へと入賞し、セット板２０２に設けられた各入賞口と連通する各球通路を通って誘導された入賞球（遊技球）を、中央側に下降傾斜する底面２２８Ａで受け止め、底面略中央の開口部２３０から下方へ排出する略箱状の構造体であり、遊技盤２００の裏面には、脚部２３２が図示しないネジで取り付けられるようになっている。さらに、外面２２８Ｂに立設された２本のボス２３４が、回路アダプター２０４の内面２０４Ｂに当接してネジ２３６にて固定されるようになっており、これにより、回路アダプター２０４と集合樋２２８とがユニット化され、互いに補強し合う構造となっている。また回路アダプター２０４の外面２２８Ｂには、下端部略中央に設けられた突部２３８に球通路カバー２４０の孔部２４２が嵌め込まれて、ネジ２４４にて固定されるようになっている。
【０００５】
この構成により、回路アダプター２０４の内面２０４Ｂに取り付けられて集合樋２２８との間に配置された電源中継基板２２２は、集合樋２２８の外面２２８Ｂ及び球通路カバー２４０によって、集合樋２２８へと導かれる入賞球から保護されている。
【０００６】
またストッパー２１８は、図１４及び図１５に示すように、略Ｌ字形状とされて左側端部２４６の端縁が直線状とされている。回路アダプター２０４への取付端側となる右側端部２４８の下端部近傍からは、平板状の弾性片２５０が左方に延出されており、弾性片２５０の先端部表面側には、Ｌ字型の突起部２５２が設けられている。
【０００７】
そして主基板２０６を回路アダプター２０４に取り付けるときは、主基板２０６の裏面を回路アダプター２０４の外面に面接させて所定の位置にセットし、主基板２０６を右方向にスライドさせて裏面の開口部を回路アダプター２０４のフック２１４、２１５に係合させる。このとき、ストッパー２１８の弾性片２５０は、回路アダプター２０４にセットされた主基板２０６の裏面に突起部２５２が押されて遊技盤２００の裏面側に撓み変形する。そこから主基板２０６がスライドされ、主基板２０６の左側面２５４に設けられた突出部２５６が突起部２５２を通過した瞬間、ストッパー２１８の弾性片２５０は、自身の弾性力によって元の直線状に復帰し、突起部２５２を突出部２５６に係止させる（図１５（Ｃ）の状態）。
【０００８】
これにより、主基板２０６がロックされて左方向にスライドできなくなり、回路アダプター２０４に係合した状態に固定される。なおこのとき、レバー２１６は、主基板２０６の裏面右下隅近傍に設けられた図示しない突起部が溝部２５８に係合することで、上記ストッパー２１８とともに主基板２０６を保持する。
【０００９】
また、主基板２０６を取り外すときは、突起部２５２を指先で押し込んで弾性片２５０を撓ませ（図１５（Ｂ）の矢印Ｐ方向）、突起部２５２を主基板２０６の突出部２５６から離脱させる（ロック解除）。同時に、レバー２１６の操作部２６０も押し込み、レバー２１６を撓ませて溝部２５８と主基板２０６裏面の突起部との係止状態を解除する。そしてそのまま主基板２０６を左方向にスライドさせることにより、主基板２０６が回路アダプター２０４から取り外される。
【００１０】
また、上述した回路アダプター２０４、ストッパー２１８、及び主基板２０６のケース等は、すべて透明の樹脂材料によって形成されており、主基板２０６のロック解除操作部を兼ねるストッパー２１８の突起部２５２には、目印となる印刷が施されている。
【００１１】
【発明が解決しようとする課題】
しかしながら、上述したストッパー２１８は、比較的重量のある主基板２０６をロックし固定することから弾性片２５０の剛性が高くされており、また、小さな突起部２５２を直接押圧する構造であるため、突起部２５２に指先を引っ掛け強く押し込んでのロック解除操作となり、これによって、指が滑りやすいなど操作性が好ましくない問題がある。
【００１２】
一方、ストッパー２１８は、回路アダプター２０４等の周囲の部品と同じ透明樹脂製であるため、突起部２５２に印刷を施してはいるものの、他部品と識別しにくく存在がわかりにくい不具合がある。また、その印刷加工は、コストを引き上げる要因ともなっている。
【００１３】
本発明は上記事実を考慮して、ロック解除時の操作性を改善することを第１の目的とし、また、他部品と容易に識別することができ、且つ、安価に作製することができることを第２の目的とした部品固定具、及びその部品固定具を備えた遊技機を提供することを課題とする。
【００１４】
【課題を解決するための手段】
請求項１に記載の発明は、遊技盤裏面に取り付けられた基台の外面にその外面の面方向にスライドされて係脱可能とされた部品を前記基台に係合した状態に固定する部品固定具であって、前記基台にネジにより着脱可能且つ片持ち状に取り付けられ弾性変形可能とされた本体と、前記本体の開放端側に設けられ前記基台に係合した前記部品に係止して部品の離脱方向へのスライドを阻止する係止部と、前記係止部とは個別に設けられ押圧操作により前記本体を弾性変形させて係止部の前記部品への係止状態を解除する操作部と、を有し、前記係止部は、前記本体から前記部品側へ突出されて部品の前記離脱方向の側面に係止するとともにその係止状態が外部から視認可能とされた突起部とされていることを特徴としている。
【００１５】
請求項１に記載の発明では、遊技盤の裏面に取り付けられた基台に部品を固定するときは、部品を基台の外面に面接させ外面の面方向にスライドさせることで部品を基台に係合させる。ここで、基台に本体が片持ち状に取り付けられた部品固定具は、本体の開放端側に設けられた、例えば突起部等の係止部を部品に係止させるとともに、自身の弾性力によってその係止状態を保持する。これにより、部品は基台と係合する方向とは逆の離脱方向へスライドできなくなり、基台に固定される。
【００１６】
また部品を基台から取り外すときは、係止部とは個別に設けられた部品固定具の操作部を押圧操作する。すると、部品固定具の本体が弾性変形して係止部が部品から離脱し、係止状態を解除する。これにより、部品を離脱方向へスライドさせて基台から取り外すことができる。
【００１７】
このように、部品固定具に係止部とは別の操作部を設けることで、係止解除時の操作性が良好になる。また、この係止部を、本体から部品側へ突出されて部品の離脱方向の側面に係止するとともにその係止状態が外部から視認可能とされた突起部で構成することにより、部品が強固にロックされ、離脱方向へのスライドが確実に阻止されるようになる。これにより、例えば遊技機の搬送時や設置時等に強い振動や衝撃が加わったとしても、部品が基台から外れることはなく、そのような部品脱落のトラブルが防止される。また、突起部を部品の側面に係止させることで、部品側に専用の被係止部を形成する必要がなくなり、部品の形状を簡素化できるようになる。さらに、係止部と部品側面の係止状態が外部から視認できることで、基台に対する部品の固定状態が不完全になるようなトラブルも確実に防止できる。
【００１８】
請求項２に記載の発明は、請求項１記載の部品固定具において、前記操作部は、前記本体の開放端に一体的に設けられ前記係止部の係止位置よりも外側に突出された平板形状とされていることを特徴としている。
【００１９】
請求項２に記載の発明では、本体の開放端に設けられた操作部が係止部の係止位置よりも外側に突出された平板状であることにより、係止部を直接押圧するよりも押し易く、さらに小さな押圧力で係止状態を解除することができる。したがって、操作性がより高められる。
【００２０】
また、平板状の操作部を本体に一体的に設けた簡単な構造とすることにより、部品固定具を型成形により作製する際は、金型形状を簡単にすることができて金型コストが低減される。
【００２１】
請求項３に記載の発明は、請求項１又は請求項２記載の部品固定具が有色樹脂材料により形成されていることを特徴としている。
【００２２】
請求項３に記載の発明では、部品固定具を有色樹脂材料で形成することにより、従来のように、基台等が透明の樹脂材料等で形成されていても、基台等との識別が容易となって、迅速に操作部を見つけることができる。また、従来施していた印刷等も不要となって、コストが抑えられる。
【００２３】
請求項４に記載の発明は、遊技盤の裏面に取り付けられた基台と、前記基台の外面にその外面の面方向にスライドされて係脱可能とされた部品と、前記基台に取り付けられた請求項１〜請求項３の何れか１項記載の部品固定具と、を備えた遊技機とされる。
【００２４】
【発明の実施の形態】
以下、図面を参照して本発明の実施の形態を説明する。
【００２５】
図１及び図２には、本発明の一実施の形態に係るパチンコ機が示されている。図示のように、パチンコ機１０は外枠１２を備え、外枠１２の前面には、窓部を有する額縁状の内枠１４の一側部が開閉可能に取付けられている。内枠１４の窓部には、ガラス１６をガラスフレーム１８に装着したガラス枠２０の一側部が開閉可能に取付けられており、このガラス枠２０と内枠１４は、内枠１４の他側部に設けられた施錠装置（シリンダ）２２により施錠されるようになっている。
【００２６】
ガラス枠２０の下方位置には、パチンコ機本体内の賞球払出装置から払い出された遊技球（貸球）や賞球を貯留して打球発射装置（図示省略）へと誘導する球皿部２４を備えた一体皿２６が一側部を内枠１４に開閉可能に取付けられている。一体皿２６の前面には、左側下部に灰皿２８が配置され、右側下部には打球発射装置から発射する遊技球の飛距離を調整するための発射ハンドル３０が設けられている。
【００２７】
また内枠１４の窓部には、遊技盤載置台に載せて交換可能とされた遊技盤３２が窓部を塞ぐように設置されている。遊技盤３２は、ベニヤ板３３の表面に樹脂材料で形成されたシート状のセル３４が貼着されて、盤面３２Ａに、外バンド３６及び内バンド３７とレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００２８】
遊技領域４０には、特別図柄表示装置４２や大入賞口（変動入賞装置）４４等の役物、始動口４６や入賞口４８、風車５０等の遊技部品と、左右側端部に配置されたサイド飾り５２Ａ、５２Ｂが取り付けられており、最下位置にアウト口５４が配置されている。また遊技盤３２の右側端部に配置されたレール飾り３８の右下隅には、証紙５６を貼り付けた証紙台５８が取り付けられており、この証紙台５８は、左方に配置されたヒンジ板６０に支持されて、盤面３２Ａに対して開閉動するようになっている。
【００２９】
なお、本実施形態のパチンコ機１０は、打球発射装置を遊技盤３２の左側下方に配置して遊技球を上方に発射する機種であり、従来機種に比べ、アウト口５４の位置を下げることにより遊技領域４０が拡大されている。
【００３０】
またパチンコ機１０の正面には、図２に示すように、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。
【００３１】
次に、遊技盤裏面側の構成と、主基板を回路アダプターに固定するストッパー（部品固定具）について詳細に説明する。
【００３２】
図３には、本実施形態の遊技盤裏面における基板レイアウトが示されており、図４〜図６には、遊技盤裏面に取り付けられる各部材の分解斜視図が示されている。遊技盤３２の裏面３２Ｂには、従来と同じく、中央に略方形のセット板７０が設けられ、セット板７０の下部側に、回路アダプター７２を介して主基板７４が取り付けられている。セット板７０の略中央には、特別図柄表示装置４２の画面に表示する図柄等の画像を表示制御する図柄制御基板７６が配置されており、右側部近傍には、表示灯６２、６３等に備えられたランプやＬＥＤ等を点灯／点滅制御するランプ制御基板７８が取り付けられている。また左側部近傍には、ランプ中継基板８０が取り付けられており、さらに遊技盤裏面３２Ｂの右上隅に位置して、盤用外部端子板８２が取り付けられている。
【００３３】
主基板７４は、図４に示すように、基板本体８４と、基板本体８４の表裏面を覆う透明樹脂製の表ケース８６及び裏ケース８８とで構成されている。基板本体８４は、左右の側端縁にフック９０が各２個づつ設けられており、この各フック９０を、裏ケース８８の左右側端部に設けられた溝部９２にそれぞれ嵌め入れることで、裏ケース８８と仮固定される。
【００３４】
さらに、５本のネジ９４を裏側から裏ケース８８の貫通孔９６及び基板本体８４の貫通孔９８にそれぞれ挿通させて、表ケース８６の円筒ボス１００にねじ込み、４本の固定ネジ１０２を表側から表ケース８６の下端部に設けられた固定ブロック１０４に挿通し、裏ケース８８の固定ブロック１０６にねじ込んで固定することにより、表ケース８６が裏ケース８８及び基板本体８４に組み付けられる。
【００３５】
また、固定ブロック１０４、１０６の間にはスペーサー１０８、１１０が挟み込まれ、固定ブロック１０４の開口部は、ネジキャップ１１２が嵌め込まれて塞がれるようになっている。このスペーサー１０８、１１０を組み込んだ固定ブロック１０４、１０６と、固定ネジ１０２との組み合わせによって、固定ネジ１０２を一度ねじ込むと、緩める方向に回転させても締結状態が解除できない機構が構成され、これによって、不正に行われる主基板７４のＰＯＭ交換等を防止できるようになっている。また裏ケース８８には、主基板７４の取付部となる窓部１１４、１１５が形成されており、窓部１１４、１１５の左側に、平板状の係合部１１６、１１７が設けられている。さらにケース裏面には、窓部１１４の下方位置にガイド突起１１８が設けられ、右下隅近傍に係合突起１２０が設けられている。
【００３６】
ランプ制御基板７８は、図５に示すように、基板本体１２２と、基板本体１２２に組み付けられて基板の一面側を覆うケース１２４とで構成されている。またランプ制御基板７８をセット板７０に取り付けるための取付ベース１２６は、上下端部に形成された取付孔１２８がセット板７０のボス１３０にネジ止めされて固定される。ランプ制御基板７８は、この取付ベース１２６の凹部１３２に、セット板７０に対して略垂直な向きに嵌め込まれる。そして凹部１３２の底面に突き当たるまで嵌め入れると、取付ベース１２６に設けられた弾性変形可能な腕部１３４が、先端の爪部１３６をケース１２４外面の段部１３８に係止させてロックする。これにより、ランプ制御基板７８がセット板７０に固定される。
【００３７】
また、セット板７０の右上隅部に配置される盤用外部端子板８２は、下端側に設けられた取付孔１４０がセット板７０のボス１４２にネジ止めされ、上端側の取付孔１４４が遊技盤３２の裏面３２Ｂに直接ネジ止めされて取り付けられる。
【００３８】
さらに、ランプ制御基板７８と、図５では図示を省略した図柄制御基板７６及びランプ中継基板８０は、透明樹脂製のケース１４６で覆われるようになっている。このケース１４６は、右側端部に突設されたフック１４８をセット板７０の窓部１５０に係合させ、左側端部近傍に穿設された取付孔１５２がナイロンリベット１５４でセット板７０のボス１５６に固定されることにより、セット板７０に取り付けられる。また、固定にナイロンリベット１５４を用いていることで、セット板７０に容易に着脱できるようになっている。
【００３９】
主基板７４が取り付けられる回路アダプター７２は、透明樹脂材料によって上面及び取付面側が開放された略箱状に形成されており、底面７２Ａ左側に矩形の開口部１５８が形成され、脚部１６０の左右側端部に、位置決め孔１６２が２個穿設されている（図３参照）。またセット板７０には、各位置決め孔１６２と対応する位置決めピン１６４が２個設けられている。
【００４０】
これにより、回路アダプター７２は、各位置決め孔１６２が各位置決めピン１６４に嵌挿されることでセット板７０との相対位置が合わせられ、その状態で、脚部１６０に形成された複数の取付孔１６６がネジ止めされることにより、遊技盤３２の裏面３２Ｂに取り付けられる。また、この取付状態では、回路アダプター７２の内面７２Ｃ側に空間が形成される。この空間は、遊技盤面３２Ａの入賞口４８に入賞して裏面３２Ｂへと導かれた入賞球が通過する、入賞球排出用の通路となっている。
【００４１】
回路アダプター７２の内面７２Ｃには、電源中継基板３００とカバー３０２が４本のネジ３０４で取り付けられるようになっており、図７及び図８に、その取付状態が示されている。
【００４２】
図示のように、電源中継基板３００は、下端部左側に突出部３０６が設けられた略矩形状とされ、四隅近傍に、ネジ３０４が挿通される取付孔３０８Ａ、３０８Ｂ、３０８Ｃ、３０８Ｄが形成されている。また、回路アダプター７２への取付面側となる表面３００Ａには、突出部３０６領域に、パチンコ機本体側の電源ブロックとケーブルで接続されるコネクター３１０、及び、制御基板に配線で接続される中継コネクター３１２が実装されている。さらに基板の上端部近傍にも、上端縁に沿って配列された４個の中継コネクター３１４、３１６、３１８、３２０が実装されている。そしてこの電源中継基板３００は、裏面３００Ｂ側がカバー３０２で覆われるようになっている。
【００４３】
カバー３０２は、透明の樹脂材料によって略矩形の平板状に形成されており、縦方向の寸法が電源中継基板３００に揃えられ、横方向の寸法が電源中継基板３００よりも少し大きくされている。また、電源中継基板３００の裏面３００Ｂに重ね合わせられる表面３０２Ａには、縁部に周リブ３２２が設けられており、周リブ３２２の左右側端上部には、位置決め孔３２４を穿設した突出部３２６がそれぞれ設けられている。さらにカバー３０２には、電源中継基板３００に設けられた左上隅の取付孔３０８Ａ及び右下隅の取付孔３０８Ｄと対応する位置に、取付孔３０８と略同じ大きさの小孔３２８が形成されており、右上隅の取付孔３０８Ｂ及び左下隅の取付孔３０８Ｃと対応する位置に、ネジ３０４の頭部径寸法よりも少し大きくされた大孔３３０が形成されている。
【００４４】
また、回路アダプター７２の内面７２Ｃには、電源中継基板３００の取付孔３０８Ａ、３０８Ｂ、３０８Ｃ、３０８Ｄと対応して、ネジ下孔３３２が穿設された４個のボス３３４が立設されており、さらにカバー３０２の位置決め孔３２４と対応する位置決め突起３３６が設けられている。
【００４５】
これにより、電源中継基板３００とカバー３０２を回路アダプター７２に取り付けるには、まず、電源中継基板３００の表面３００Ａを回路アダプター７２の内面７２Ｃに対向させて配置し、電源中継基板３００の取付孔３０８Ｂと取付孔３０８Ｃにネジ３０４を挿通してボス３３４のネジ下孔３３２にねじ込むことにより、電源中継基板３００を取り付ける。また、この取付状態では、電源中継基板３００に設けられたコネクター３１０と中継コネクター３１２が、回路アダプター７２の開口部１５８に位置合わせされる。
【００４６】
次に、カバー３０２の表面３０２Ａ側を電源中継基板３００の裏面３００Ｂに重ね合わせるとともに、位置決め孔３２４を回路アダプター７２の位置決め突起３３６に嵌合させて配置する。その位置決め状態で、カバー３０２の小孔３２８にネジ３０４を挿通し、ボス３３４のネジ下孔３３２にねじ込むことにより、小孔３２８を電源中継基板３００の取付孔３０８Ａ及び取付孔３０８Ｄとともに、共締めして固定する。これにより、回路アダプター７２の内面７２Ｃに電源中継基板３００とカバー３０２が取り付けられ、電源中継基板３００は、裏面３００Ｂ側がカバー３０２に覆われて、回路アダプター７２内を通過する入賞球から保護される。
【００４７】
一方、回路アダプター７２の外面７２Ｂには、左方向に向けられた略鉤形のフック１７０、１７１が設けられており、縦方向略中央には、横方向に延出されたガイド溝１７２が形成されている。さらに外面７２Ｂの右下隅には、係合レバー１７４が一体的に設けられている。係合レバー１７４は、左側端部が外面７２Ｂに連結されて右方向に延出した片持ちの板状とされ、水平方向に弾性変形可能な板厚寸法とされている。また開放端（先端）が操作部１７６とされ、略中央部に係合溝１７８が形成されている。
【００４８】
また、回路アダプター７２の外面７２Ｂ左側端部には、ストッパー１８０を取り付けるための凹部１７９が３個設けられている。ストッパー１８０は、有色樹脂材料による成形品で、図９に示すように、平面視が略Ｌ字形状をしており、平板状の本体１８１が弾性変形可能な板厚寸法に形成されている。本体１８１の右側端部には、回路アダプター７２の凹部１７９と対応する位置に３個の突出片１８３が設けられており、この突出片１８３が凹部１７９に嵌め込まれ、突出片１８３に穿設された取付孔１８２がネジ１８４により凹部１７９のネジ下孔１８６にネジ止めされることで、回路アダプター７２に片持ち状に取り付けられるようになっている。さらにその取付状態では、ストッパー１８０の表面が回路アダプター７２の外面７２Ｂとほぼ面一になる構成である（図７（Ｂ）参照）。
【００４９】
また、本体１８１の中央付近には、本体１８１に右側端が繋がれて左方へと延出された弾性片１８７が配置されており、弾性片１８７の先端部表面側には、Ｌ字型の突起部１８８が設けられている。さらに突起部１８８の上方には平板状の操作部１９０が配置されており、この操作部１９０は、本体１８１の開放端（左側端）に一体的に設けられるとともに、突起部１８８の係止端面（右端面）１８８Ａ、１８８Ｂよりも外側に突出している。
【００５０】
これにより、主基板７４を回路アダプター７２に取り付けるには、主基板７４側のガイド突起１１８を回路アダプター７２側のガイド溝１７２に嵌め入れるとともに、窓部１１４、１１５をフック１７０、１７１に位置合わせして挿入し、主基板７４の裏面を回路アダプター７２の外面７２Ｂに面接させ、その位置から主基板７４を右方向にスライドさせる。このとき、ストッパー１８０の弾性片１８７は、主基板７４の裏面に突起部１８８が押されて遊技盤３２の裏面３２Ｂ側に撓み変形する。そして主基板７４が位置規制されるまでスライドされると、主基板７４側の係合突起１２０が係合レバー１７４の係合溝１７８に係合するとともに、主基板７４の左側面７４Ａ、７４Ｂが突起部１８８を通過した瞬間、弾性片１８７が自身の弾性力によって元の直線状に復帰し、図１０及び図１１に示すように、突起部１８８の係止端面１８８Ａ、１８８Ｂが左側面７４Ａ、７４Ｂに係止する。これにより、主基板７４がロックされて左方向にスライドできなくなり、回路アダプター７２に係合した状態に固定される。
【００５１】
また、主基板７４を取り外すときは、係合レバー１７４の操作部１７６とストッパー１８０の操作部１９０を同時に押圧操作する（図６の矢印Ａ、Ｂ方向）。すると、係合レバー１７４及びストッパー１８０が弾性変形して主基板７４のロックを解除し、そのまま主基板７４を左方向にスライドさせることにより、主基板７４を回路アダプター７２から簡単に取り外すことができる。
【００５２】
以上説明したように、本実施の形態に係るストッパー１８０では、主基板７４をロックする突起部１８８とは別に操作部１９０を設けていることで、ロック解除（係止解除）時の操作性が良好になる。
【００５３】
また、本実施形態では、ストッパー１８０の本体１８１の開放端に設けた操作部１９０を突起部１８８の係止位置（係止端面１８８Ａ、１８８Ｂ）よりも外側に突出させ、且つ、平板状としたことにより、従来のように、突起部を直接押圧するよりも押し易く、さらに小さな押圧力で係止状態を解除することができる。したがって、操作性がより高められる。さらに、平板状の操作部１９０を本体１８１に一体的に設けた簡単な構造としたことにより、ストッパー１８０を成形する金型が簡単な形状になり、金型コストが低減される。
【００５４】
また、本実施形態では、ストッパー１８０を有色樹脂材料で形成したことにより、透明の樹脂材料で形成された回路アダプター７２等との識別が容易となって、迅速に操作部１９０を見つけることができる。また、従来の印刷加工も不要となって、コストが抑えられる。
【００５５】
なお、本実施形態のストッパー１８０では、突起部１８８を主基板７４の側面に係止させるようになっているが、この係止構造は、本実施形態に限定されるものではない。例えば、主基板７４の裏ケース８８裏面に溝等を設け、ストッパー側の突起部をその溝等に嵌合させるような構造でもよい。また操作部１９０の形状も、本実施形態の平板形状に限らず、例えば、端部から上側に直角に折れ曲がるような形状、あるいは、クランク状に折れ曲がった形状等として、指先への引っ掛かり部を設けたものでもよい。さらに本発明は、主基板以外の制御基板、あるいは、他の部品等に適用することも可能である。
【００５６】
【発明の効果】
本発明の部品固定具、及びその部品固定具を備えた遊技機は上記構成としたので、第１には、ロック解除時の操作性が改善され、また第２には、他部品との識別が容易となり、且つ、安価に作製することができる。
【図面の簡単な説明】
【図１】本発明の一実施形態に係るパチンコ機を示した斜視図である。
【図２】本発明の一実施形態に係るパチンコ機を示した正面図である。
【図３】本発明の一実施形態に係る遊技盤の裏面側を拡大した平面図である。
【図４】本発明の一実施形態に係る主基板の分解斜視図である。
【図５】本発明の一実施形態に係る遊技盤裏面側主要部品の分解斜視図である。
【図６】図５の回路アダプター部分を拡大した分解斜視図である。
【図７】本発明の一実施形態に係る回路アダプターを示した（Ａ）が平面図、（Ｂ）が側面図、（Ｃ）が下面図である。
【図８】本発明の一実施形態に係る回路アダプターに電源中継基板とカバーが取り付けられた状態の（Ａ）が拡大平面図、（Ｂ）が（Ａ）の８Ｂ−８Ｂ線断面図である。
【図９】本発明の一実施形態に係るストッパーを示した（Ａ）が平面図、（Ｂ）が下面図、（Ｃ）が主基板をロックした状態の平面図である。
【図１０】本発明の一実施形態に係る回路アダプターに主基板が固定された状態の平面図である。
【図１１】本発明の一実施形態に係る回路アダプターに主基板が固定された状態の下面図である。
【図１２】従来の遊技盤における裏面側の平面図である。
【図１３】従来の遊技盤裏面に取り付けられる回路アダプター・ユニットの分解斜視図である。
【図１４】従来の回路アダプターにストッパーが取り付けられた状態を示した平面図である。
【図１５】従来のストッパーを示した（Ａ）が平面図、（Ｂ）が下面図、（Ｃ）が主基板をロックした状態の平面図である。
【符号の説明】
１０        パチンコ機（遊技機）
３２        遊技盤
３２Ｂ      裏面
７２        回路アダプター（基台）
７２Ｂ      外面
７４        主基板（部品）
７４Ａ 左側面（離脱方向の側面）
７４Ｂ 左側面（離脱方向の側面）
１８０        ストッパー（部品固定具）
１８１        本体
１８４ ネジ
１８７        弾性片（本体）
１８８        突起部（係止部／突起部）
１８８Ａ、１８８Ｂ        係止端面（係止位置）
１９０        操作部
【図１】
0003785091.tif 000002
【図２】
0003785091.tif 000003
【図３】
0003785091.tif 000004
【図４】
0003785091.tif 000005
【図５】
0003785091.tif 000006
【図６】
0003785091.tif 000007
【図７】
0003785091.tif 000008
【図８】
0003785091.tif 000009
【図９】
0003785091.tif 000010
【図１０】
0003785091.tif 000011
【図１１】
0003785091.tif 000012
【図１２】
0003785091.tif 000013
【図１３】
0003785091.tif 000014
【図１４】
0003785091.tif 000015
【図１５】
0003785091.tif 000016